(57)【要約】【課題】意図しない内容液の注出が防止できる二重容器を提案する。【解決手段】本発明の二重容器は、内層体１に通じる注出筒部４ｂを有する隔壁４ａと、通気口２ｃを取り囲むベースと、発泡体１２に対して空気路Ｔからの空気を導入する空気導入口１１ｆ、発泡体１２に対して注出筒部４ｂからの内容液を導入する液導入口１０ｆ、及び注出筒部４ｂに摺動可能に当接し注出筒部４ｂの軸線Ｏに沿うスライドを可能とする摺動筒部１０ａを有するノズルヘッド９と、隔壁４ａに着座及び離反する弁体６ｂを有する空気用逆止弁６とを備え、ノズルヘッド９は、隔壁４ａに近づく向きへのスライドによって摺動筒部１０ａと隔壁４ａとで弁体６ｂを挟持するとともに液導入口１０ｆを注出筒部４ｂで閉鎖する一方、隔壁４ａから離れる向きへのスライドによって摺動筒部１０ａを弁体６ｂから離隔させるとともに液導入口１０ｆを開放することを特徴とする。【選択図】図１
2015209271.tif 000002
【特許請求の範囲】
【請求項１】
内容液を収容する減容変形自在な内層体と、口部周壁を貫通する通気口を有し該内層体との相互間に該通気口に通じる内部空間を形成する外層体と、該外層体への押圧に伴い該内層体の内容液及び該内部空間の空気を通過させて内容液を発泡させる発泡体を有し、該口部周壁に装着される注出キャップとを備える二重容器であって、
前記注出キャップは、
前記内層体の上部開口を覆うとともに該内層体に通じる注出筒部を有する隔壁と、
前記通気口を取り囲んで前記口部周壁に保持されるとともにその内側に該隔壁を収めるベースと、
該隔壁及び該ベースとの間で該通気口につながる空気路を形成するとともに、前記発泡体に対して該空気路からの空気を導入する空気導入口と、該発泡体に対して該注出筒部からの内容液を導入する液導入口とを有し、更に該液導入口を取り囲んで該注出筒部の外周面に摺動可能に当接し該注出筒部の軸線に沿うスライドを可能とする摺動筒部を有するノズルヘッドと、
該隔壁に着座及び離反することで該空気路を閉鎖及び開放する弁体を有する空気用逆止弁とを備え、
該ノズルヘッドは、該隔壁に近づく向きへのスライドによって該摺動筒部と該隔壁とで該弁体を挟持するとともに該液導入口を該注出筒部で閉鎖する一方、該隔壁から離れる向きへのスライドによって該摺動筒部を該弁体から離隔させるとともに該液導入口を開放する二重容器。
【請求項２】
前記ノズルヘッドは、前記摺動筒部、及び該摺動筒部と同心二重配置になるシール筒部をともに一体に連結するとともに前記注出筒部と前記発泡体との間を区画する区画壁を有し、該区画壁は、該シール筒部と該摺動筒部との間に前記液導入口を備え、該ノズルヘッドの該隔壁に近づく向きへのスライドによって該注出筒部を該シール筒部と該摺動筒部の間に入り込ませて該液導入口を閉鎖する請求項１に記載の二重容器。
【請求項３】
前記ノズルヘッドは、前記注出筒部と前記発泡体との間を区画するとともに前記摺動筒部を一体に連結し、該摺動筒部の内側に前記液導入口を有する区画壁を有し、
前記注出筒部は、該注出筒部に一体に連結するとともに前記内層体からの内容液を該液導入口に通す連通口を備える連結部と、該連結部に一体に連結するとともに該ノズルヘッドの該隔壁に近づく向きへのスライドによって該液導入口を閉鎖する棒状部とを有する請求項１に記載の二重容器。
【発明の詳細な説明】
【技術分野】
【０００１】
本発明は、内容液を収容する減容変形自在な内層体と、内層体を内側に収めて容器の外殻を形成する外層体とを備え、内容液の注出に伴って内層体のみが減容する二重容器に関するものであり、特に、内容液を泡状にして注出することができる技術に関する。
【背景技術】
【０００２】
化粧水などの化粧料や、シャンプーやリンス或いは液体石鹸、また食品調味料や薬品などを収納する容器としては、内容液を収容する減容変形自在な内層体と、内層体を内側に収めて容器の外殻を形成する外層体とを備え、外層体の胴部を押圧することで内容液を注出する一方、押圧解除後は胴部が復元し、内層体と外層体との間に外気を導入して内層体を減容できるようにした二重容器（デラミ容器、積層剥離容器とも言う）が知られている。例えば特許文献１には、このような二重容器にフォーマーキャップを装着して、内容液を泡状にして注出することができるスクイズタイプの容器が示されている。
【先行技術文献】
【特許文献】
【０００３】
【特許文献１】特開２００９−１４９３２７号公報
【発明の概要】
【発明が解決しようとする課題】
【０００４】
ところで、このようなスクイズタイプの容器では、例えば流通時に誤って落下させてしまったり強い振動が加わったりして胴部に力が加わると、内容液が意図せず注出されてしまうおそれがある。このため、流通時や店頭での陳列時には胴部に力が加わっても簡単には内容液が注出されることがない一方で、使用時には簡便な操作で注出可能な状態に切り替えることができる、新たな二重容器が求められていた。
【０００５】
本発明は、このような問題点を解決することを課題とするものであり、その目的は、胴部に力が加わっても簡単には内容液が注出されることがない注出不能状態と、胴部に力を加えれば内容液が泡状に注出できる注出可能状態とを簡単に切り替えることができる、新たな二重容器を提案するところにある。
【課題を解決するための手段】
【０００６】
本発明は、内容液を収容する減容変形自在な内層体と、口部周壁を貫通する通気口を有し該内層体との相互間に該通気口に通じる内部空間を形成する外層体と、該外層体への押圧に伴い該内層体の内容液及び該内部空間の空気を通過させて内容液を発泡させる発泡体を有し、該口部周壁に装着される注出キャップとを備える二重容器であって、
前記注出キャップは、
前記内層体の上部開口を覆うとともに該内層体に通じる注出筒部を有する隔壁と、
前記通気口を取り囲んで前記口部周壁に保持されるとともにその内側に該隔壁を収めるベースと、
該隔壁及び該ベースとの間で該通気口につながる空気路を形成するとともに、前記発泡体に対して該空気路からの空気を導入する空気導入口と、該発泡体に対して該注出筒部からの内容液を導入する液導入口とを有し、更に該液導入口を取り囲んで該注出筒部の外周面に摺動可能に当接し該注出筒部の軸線に沿うスライドを可能とする摺動筒部を有するノズルヘッドと、
該隔壁に着座及び離反することで該空気路を閉鎖及び開放する弁体を有する空気用逆止弁とを備え、
該ノズルヘッドは、該隔壁に近づく向きへのスライドによって該摺動筒部と該隔壁とで該弁体を挟持するとともに該液導入口を該注出筒部で閉鎖する一方、該隔壁から離れる向きへのスライドによって該摺動筒部を該弁体から離隔させるとともに該液導入口を開放する二重容器である。
【０００７】
前記ノズルヘッドは、前記摺動筒部、及び該摺動筒部と同心二重配置になるシール筒部をともに一体に連結するとともに前記注出筒部と前記発泡体との間を区画する区画壁を有し、該区画壁は、該シール筒部と該摺動筒部との間に前記液導入口を備え、該ノズルヘッドの該隔壁に近づく向きへのスライドによって該注出筒部を該シール筒部と該摺動筒部の間に入り込ませて該液導入口を閉鎖することが好ましい。
【０００８】
前記ノズルヘッドは、前記注出筒部と前記発泡体との間を区画するとともに前記摺動筒部を一体に連結し、該摺動筒部の内側に前記液導入口を有する区画壁を有し、
前記注出筒部は、該注出筒部に一体に連結するとともに前記内層体からの内容液を該液導入口に通す連通口を備える連結部と、該連結部に一体に連結するとともに該ノズルヘッドの該隔壁に近づく向きへのスライドによって該液導入口を閉鎖する棒状部とを有することが好ましい。
【発明の効果】
【０００９】
本発明によれば、ノズルヘッドを隔壁に近づく向きへスライドさせることによって、摺動筒部と隔壁とで弁体を挟持して空気路を閉鎖することができるとともに液導入口を注出筒部で閉鎖することができる（注出不能状態）。また、ノズルヘッドを隔壁から離れる向きへのスライドさせることによって、摺動筒部を弁体から離隔させるとともに該液導入口を開放することができる（注出可能状態）。すなわち、ノズルヘッドをスライドさせるだけの簡単な操作で、注出不能状態と注出可能状態とを切り替えることができる。
【００１０】
特に、ノズルヘッドに、摺動筒部及びシール筒部を一体に連結するとともに注出筒部と発泡体との間を区画する区画壁を設け、区画壁に、シール筒部と摺動筒部との間において液導入口を設け、ノズルヘッドの隔壁に近づく向きへのスライドによって、注出筒部をシール筒部と摺動筒部の間に入り込ませて液導入口を閉鎖する場合、或いは、ノズルヘッドに、注出筒部と発泡体との間を区画するとともに摺動筒部を一体に連結し、且つ摺動筒部の内側に液導入口を有する区画壁を設け、注出筒部に、この注出筒部に一体に連結するとともに内層体からの内容液を液導入口に通す連通口を備える連結部と、連結部に一体に連結するとともにノズルヘッドの隔壁に近づく向きへのスライドによって液導入口を閉鎖する棒状部とを設ける場合は、注出キャップの構造が簡単になる。
【図面の簡単な説明】
【００１１】
【図１】本発明に従う二重容器の一実施形態を示す、注出不能状態での断面図である。
【図２】図１に示す二重容器の注出可能状態での断面図である。
【図３】本発明に従う二重容器の他の実施形態を示す、注出不能状態での断面図である。
【図４】図３に示す二重容器の注出可能状態での断面図である。
【発明を実施するための形態】
【００１２】
以下、図面を参照して、本発明をより具体的に説明する。なお、本明細書、特許請求の範囲、及び要約書において、「上」とは、外層体の口部周壁に対してノズルヘッドが位置する側であり、「下」とは、その反対側である。
【００１３】
図１は、本発明に従う二重容器の一実施形態を示す。本実施形態の二重容器は、内容液を収容する内層体１と、内層体１を内側に収める外層体２と、外層体２に装着される注出キャップ３を備えている。注出キャップ３は、中栓４と、移動弁体５と、空気用逆止弁６と、ベース７と、外気導入用逆止弁８とを備え、更にノズルヘッド９を備えている。ノズルヘッド９は、ホルダー１０と、ノズルヘッド本体１１と、発泡体１２とを備えている。更に本実施形態の二重容器は、オーバーキャップ１３を備えている。
【００１４】
内層体１は、その内側に内容液を収容する収容空間Ｓと、この収容空間Ｓにつながる上部開口１ａを備えている。内層体１は薄肉の合成樹脂製であって、減容変形自在となっている。
【００１５】
外層体２は、円筒状の口部周壁２ａに、図示を省略する復元自在な可撓性を有する胴部、及び胴部の下端を閉鎖する底部を連結したものである。口部周壁２ａの外面には雄ねじ部２ｂを設けている。また、口部周壁２ａには、内層体１との間に形成される内部空間に空気を取り込むための貫通孔（通気口）２ｃを設けていて、更に、通気口２ｃを設けた外面には、上下方向に雄ねじ部２ｂを切り欠く溝部２ｄを設けている。
【００１６】
本実施形態において内層体１と外層体２は、相互に相溶性が低い合成樹脂を剥離可能に積層させたものである。図示は省略するが内層体１と外層体２との間には、上下方向に延在して内層体１と外層体２とを部分的に接合する、１本或いは複数本の接着帯を設けてもよい。なお、このような内層体１と外層体２は、内層体１の合成樹脂素材と外層体２の合成樹脂素材とが積層されたパリソンを、ブロー成形することによって得ることができるが、他にも、試験管状に形成したプリフォームを２軸延伸ブロー成形することや、外層体及び内層体を個別に形成し、その後、内層体を外層体内に装着するようにしたものでもよい。
【００１７】
中栓４は、内層体１の上部開口１ａを覆う板状の隔壁４ａを備えている。隔壁４ａには、上下を貫通させた円筒状の注出筒部４ｂが設けられている。注出筒部４ｂの下端部は、下方に向けて縮径する縮径部４ｃとなっている。また隔壁４ａの下面には、口部周壁２ａの内面との間で内層体１を挟む円筒状のシール壁４ｄが設けられている。隔壁４ａの上面には、上方を開放させた凹部４ｅが設けられていて、凹部４ｅを形成する隔壁４ａの面には、溝部４ｆが設けられている。更に、隔壁４ａの縁部には、上方へ向けて延在する縁壁４ｇが設けられていて、縁壁４ｇの根元には、貫通孔４ｈが設けられている。
【００１８】
注出筒部４ｂ内には、本実施形態では球状となる移動弁体５が設けられている。移動弁体５は、縮径部４ｃに着座することで、収容空間Ｓをシールすることができる。また、移動弁体５は、外層体２を起立姿勢から傾倒姿勢に姿勢変更することで縮径部４ｃから離反し、外層体２の胴部を押圧することによって注出筒部４ｂとの隙間を通して内容液を収容空間Ｓから注出することができる。
【００１９】
空気用逆止弁６は、円筒状となる環状壁６ａの内面に、円板状となる薄肉の弁体６ｂを一体に連結したものである。環状壁６ａは、凹部４ｅに嵌め込まれて保持される。なお、環状壁６ａと溝部４ｆとの間には、空気の通る通路が形成される。また弁体６ｂは、隔壁４ａの上面に対して気密に当接していて、通常は環状壁６ａと溝部４ｆとの間の通路を閉鎖しているが、この通路内を通る空気の圧力が高まると隔壁４ａから離反して通路を開放する。
【００２０】
ベース７は、通気口２ｃを取り囲み、その下端部を口部周壁２ａの外面に気密に当接させる円筒状の外周壁７ａを備えている。外周壁７ａの内面には、雄ねじ部２ｂに対応する雌ねじ部７ｂが設けられている。なお、ねじに代えてアンダーカットで保持するようにしてもよい。外周壁７ａの上部には、径方向内側に延在する天壁７ｃが設けられ、天壁７ｃの内縁部には、下方に向けて延在して環状壁６ａを抜け止め保持する円筒状の内部周壁７ｄが設けられている。
【００２１】
また天壁７ｃには、内部周壁７ｄの径方向外側において、外界へ通じる貫通孔（外気導入口）７ｅが設けられている。また、外気導入口７ｅの周囲には、下方に向けて延在する円筒状のガイド壁７ｆが設けられていて、ガイド壁７ｆには、径方向内側に向けて突出する凸部７ｇが設けられている。
【００２２】
外周壁７ａには、その上方において、上下方向に延在するとともに径方向内側へ凹ませた凹所７ｈと、凹所７ｈよりも延在長さが大きく且つ深さが深いガイド溝７ｉが設けられている。
【００２３】
外気導入用逆止弁８は、本実施形態では球状となっていて、ガイド壁７ｆの内側に設けられている。外気導入用逆止弁８は、通常、天壁７ｃの下面から離反して凸部７ｇによって抜け止め保持されていて、外層体２を傾倒姿勢に姿勢変更すると、天壁７ｃの下面に当接して外気導入口７ｅを閉鎖することができる。
【００２４】
ホルダー１０は、注出筒部４ｂの外面に摺動可能に当接して、ホルダー１０を注出筒部４ｂの軸線（本実施形態では口部周壁２ａの軸線Ｏに一致する）に沿ってスライドすることができる円筒状の摺動筒部１０ａを備えている。なお、ホルダー１０が下方にスライドした際に弁体６ｂは、隔壁４ａの上面と摺動筒部１０ａの下面との間で挟持される。これによって、環状壁６ａと溝部４ｆとの間の通路を通る空気の流れが確実に遮断される。
【００２５】
ホルダー１０は、注出筒部４ｂの上方を覆って注出筒部４ｂの内側と注出筒部４ｂの上方とを区画する区画壁１０ｂを備えていて、摺動筒部１０ａは、区画壁１０ｂに一体に連結している。摺動筒部１０ａの径方向内側には、区画壁１０ｂに一体に連結するとともに、摺動筒部１０ａと同心二重配置となる円筒状のシール筒部１０ｃが設けられている。シール筒部１０ｃの外面には、例えば突起等を設けて注出筒部４ｂの内面に液密に当接するようにしている。更にシール筒部１０ｃの径方向内側には、区画壁１０ｂに一体に連結するとともに移動弁体５の抜け出しを防止する棒状のストッパー１０ｄが設けられている。
【００２６】
ホルダー１０の上面には、凹部１０ｅが設けられている。また摺動筒部１０ａとシール筒部１０ｃとの間には、区画壁１０ｂを貫通して凹部１０ｅに通じる貫通孔（液導入口）１０ｆが設けられている。
【００２７】
ノズルヘッド本体１１は、ベース７の上方を取り囲む周壁１１ａと、周壁１１ａの上部に一体に連結する上壁１１ｂを備えている。周壁１１ａの内面には、凹所７ｈに入り込んでノズルヘッド本体１１を抜け止め保持する突起１１ｃと、ガイド溝７ｉに入り込んでノズルヘッド本体１１を回り止め保持するリブ１１ｄが設けられている。
【００２８】
上壁１１ｂの下面には、下方に向けて延在する円筒状の筒状壁１１ｅが一体に設けられている。筒状壁１１ｅの外面には、例えば突起等が設けられていて、内部周壁７ｄの内面に摺動可能且つ気密に当接するように構成されている。また筒状壁１１ｅの内面には、ホルダー１０を嵌合保持する突起等が設けられているとともに、ホルダー１０の外面との間で空気が流れる通路を形成している。この通路は、空気導入口１１ｆを介して凹部１０ｅに通じている。すなわち、中栓４、ベース７、及びノズルヘッド本体１１の間には、内層体１と外層体２の間に形成される内部空間から通気口２ｃ、溝部２ｄ、貫通孔４ｈ、溝部４ｆ、及び離反した弁体６ｂと隔壁４ａとの間に形成される隙間を通り、ホルダー１０と筒状壁１１ｅとの相互間に形成される通路を経て空気導入口１１ｆに至る空気路Ｔが形成される。
【００２９】
更に上壁１１ｂの下面には、外気導入口７ｅを閉鎖する環状のシール壁１１ｇが設けられている。
【００３０】
上壁１１ｂの上面には、上方へ向けて延在する円筒状のノズル１１ｈが設けられている。ノズル１１ｈの内面には突起１１ｉが設けられている。
【００３１】
発泡体１２は、例えばスポンジやフェルト、焼結多孔質体のような、内側に多数の間隙を有するものである。発泡体１２は、本実施形態では円柱状であって、凹部１０ｅに配置され、突起１１ｉによって抜け止め保持される。これにより発泡体１２には、液導入口１０ｆからの内容液と空気導入口１１ｆからの空気とが、それぞれ個別に導入される。
【００３２】
オーバーキャップ１３は、板状の頂壁１３ａと、頂壁１３ａの縁部から下方に向けて延在する外周壁１３ｂとを備えている。外周壁１３ｂの内面には、周壁１１ａの下端に係合する突起（上部突起）１３ｃと、外周壁７ａの下端に係合する下部突起１３ｄとが設けられている。また、頂壁１３ａの下面には、ノズル１１ｈの内面に当接する環状のシール壁１３ｅを備えている。
【００３３】
このような形態となる二重容器は、図１に示すようにノズルヘッド本体１１が下方に向けてスライドした状態（注出不能状態）において、弁体６ｂは、隔壁４ａの上面と摺動筒部１０ａの下面との間で挟持され、液導入口１０ｆは、注出筒部４ｂに液密に当接するシール筒部１０ｃによって、収容空間Ｓに対して閉鎖されている。このため、外層体２の胴部が押圧されることがあっても、収容空間Ｓの内容液が簡単に注出されてしまうことがなくなる。なお、外気導入口７ｅは、シール壁１１ｇによって閉鎖されているので、内部空間の空気が外界に漏れ出すことはない。
【００３４】
内容液を注出する際には、まずオーバーキャップ１３を取り外す。ここで、上部突起１３ｃは周壁１１ａの下端に係合しているので、オーバーキャップ１３の取り外しに伴って、図２に示すようにノズルヘッド本体１１を一緒に引き上げることができる（注出可能状態に変位する）。このような構成にすれば、ノズルヘッド本体１１を引き上げる作業が不要になるので、使い勝手がよくなる。
【００３５】
そして、外層体２を傾倒姿勢に姿勢変更することによって、縮径部４ｃに着座していた移動弁体５が、ストッパー１０ｄに向けて移動する。また外気導入用逆止弁８は、天壁７ｃの下面に当接して外気導入口７ｅを閉鎖するので、内部空間と外界とは非連通になる。ここで外層体２の胴部を押圧すると、内部空間の空気を介して収容空間Ｓが加圧され、収容空間Ｓ内の内容液は、注出筒部４ｂと移動弁体５との隙間を通り、液導入口１０ｆを経て発泡体１２に至る。また、内部空間の空気は加圧されているので、弁体６ｂは隔壁４ａから離反する。このため、内部空間の空気は空気路Ｔを通り、空気導入口１１ｆを経て発泡体１２に至る。これにより内容液は、発泡体１２内を移動するにつれて空気と混ざり合いつつ発泡して、ノズル１１ｈから注出される。
【００３６】
内容液を注出した後は、外層体２の胴部への押圧を解除して外層体２を元の起立姿勢に姿勢変更する。ここで外層体２は、それ自身の復元力により元の形状に戻ろうとするため、内部空間は負圧状態となり、弁体６ｂは隔壁４ａに着座する。また外気導入用逆止弁８は、その自重でもって天壁７ｃの下面から離反して、外気導入口７ｅを開放する。これにより外気は、外気導入口７ｅから貫通孔４ｈ、溝部２ｄ、及び通気口２ｃを経て、内部空間に導入される。これにより内層体１が減容変形したまま、外層体２のみが復元する。
【００３７】
また、外層体２を元の起立姿勢に戻すことや、外層体２の胴部への押圧を解除することに伴う収容空間Ｓ内の減圧によって、移動弁体５は縮径部４ｃに向けて移動し、着座する。これにより、摺動筒部１０ａの内側に残留した内容液が注出筒部４ｂ内に引込まれ、発泡体１２を介してノズル１１ｈ内に残留する泡を内側に引込むことができる（サックバック機能）ので、ノズル１１ｈからの液だれを防止することができる。
【００３８】
次に、本発明に従う二重容器の他の実施形態について、図３を参照しつつ説明する。なお、上述した実施形態と同様の機能を有する部位は、同一の符号を付して説明を省略する。
【００３９】
本実施形態の中栓５４は、内層体１の上部開口１ａを覆う板状の隔壁５４ａを備えている。隔壁５４ａには、上下を貫通させた円筒状の注出筒部５４ｂが設けられている。注出筒部５４ｂの内側上部には、上方へ向けて起立する棒状部５４ｃが設けられていて、注出筒部５４ｂと棒状部５４ｃとの間を、周方向に間隔をあけて設けられる複数の連結部５４ｄで連結している。連結部５４ｄの相互間には、連通口５４ｅが形成される。なお、注出筒部５４ｂと棒状部５４ｃとの間を板状の連結部で連結し、この連結部に貫通孔を設けて連通口としてもよい。また、中栓５４にも上述した中栓４と同様のシール壁４ｄ、縁壁４ｇ、貫通孔４ｈが設けられている。
【００４０】
空気用逆止弁５６は、先に述べた実施形態の空気用逆止弁６と同様の構成になる環状壁６ａ、弁体６ｂを有するとともに、環状壁６ａの外面に、円板状となる薄肉の外側弁体５６ａを一体に連結したものである。環状壁６ａの下部には、隔壁４ａの上面との間で空気の通る通路を形成する溝部５６ｂが設けられている。
【００４１】
ベース５７は、通気口２ｃを取り囲み、その下端部を口部周壁２ａの外面に気密に当接させる円筒状の外周壁５７ａを備えている。外周壁５７ａの内面には、雄ねじ部２ｂに対応する雌ねじ部５７ｂが設けられている。外周壁７ａの上部には、径方向内側に延在する天壁５７ｃが設けられ、天壁５７ｃには、外界へ通じる貫通孔（外気導入口）５７ｄが設けられている。また、天壁５７ｃの下面には、環状壁６ａの内側に入り込んで空気用逆止弁５６を保持する環状壁５７ｅが設けられている。ここで外側弁体５６ａは、天壁５７ｃの上面に気密に当接していて、通常は外気導入口５７ｄを閉鎖している。
【００４２】
また、天壁５７ｃの内縁には、上方に向けて起立する内側周壁５７ｆが設けられていて、内側周壁５７ｆの径方向外側には、外側周壁５７ｇが設けられている。外側周壁５７ｇの外面には、突起５７ｈが設けられている。
【００４３】
ホルダー６０は、円筒状の周壁６０ａを有し、その内側下部に、３点弁の如き形態（平板状の弁体を３つの弾性片で支持している）となる液用逆止弁６０ｂを備えている。なお、液用逆止弁６０ｂには、１点弁等を採用してもよい。また、周壁６０ａの内側上部には、発泡体１２を配置する凹部６０ｃが設けられている。周壁６０ａの外面には、凹部６０ｃに連通する空気導入口６０ｄが設けられている。
【００４４】
ノズルヘッド本体６１は、外側周壁５７ｇを取り囲む周壁６１ａと、その外縁部を周壁６１ａよりも径方向外側に突出させつつ周壁６１ａの上部に一体に連結する上壁６１ｂを備えている。周壁６１ａの内面には、ノズルヘッド本体６１を上方へスライドした際に突起５７ｈによって抜け止め保持される凸部６１ｃが設けられている。
【００４５】
上壁６１ｂの内縁には、その内側にホルダー６０を配置する円筒状のノズル６１ｄが設けられている。ノズル６１ｄの下方周壁には、空気導入口６０ｄに連通する貫通孔６１ｅが設けられている。これにより中栓５４、ベース５７、及びノズルヘッド本体６１の間には、内層体１と外層体２の間に形成される内部空間から通気口２ｃ、溝部２ｄ、貫通孔４ｈ、溝部５６ｂ、及び離反した弁体６ｂと隔壁５４ａとの間に形成される隙間を通り、貫通孔６１ｅを経て空気導入口６０ｄに至る空気路Ｔが形成される。
【００４６】
またノズル６１ｄの下端には、注出筒部５４ｂと発泡体１２との間を区画する区画壁６１ｆが設けられていて、区画壁６１ｆの中央部には、液用逆止弁６０ｂによって閉鎖、開放する液導入口６１ｇが設けられている。また区画壁６１ｆの下面には、液導入口６１ｇを取り囲むとともに注出筒部５４ｂの外面に摺動可能に当接して、ノズルヘッド本体６１を注出筒部５４ｂの軸線（口部周壁２ａの軸線Ｏに一致する）に沿ってスライドすることができる円筒状の摺動筒部６１ｈが設けられている。なお、ノズルヘッド本体６１が下方にスライドした際に弁体６ｂは、隔壁５４ａの上面と摺動筒部６１ｈの下面との間で挟持される。これによって、溝部５６ｂを通る空気の流れが確実に遮断される。
【００４７】
オーバーキャップ６３は、板状の頂壁６３ａと、頂壁６３ａの縁部に連結するとともに上方の小径部と下方の大径部との間を拡径部でつないだ外周壁６３ｂとを備えている。外周壁６３ｂの大径部における内面には、上壁６１ｂの外縁部に係合する突起６３ｃが設けられている。また頂壁６３ａの上面には、上方に向けて延在する上部筒部６３ｄが設けられ、上部筒部６３ｄの上端には、外向きフランジ６３ｅが設けられている。
【００４８】
本実施形態の二重容器は、図３に示すようにノズルヘッド本体６１が下方に向けてスライドした状態（注出不能状態）において、弁体６ｂは、隔壁５４ａの上面と摺動筒部６１ｈの下面との間で挟持され、液導入口６１ｇは、棒状部５４ｃによって収容空間Ｓに対して閉鎖されている。このため、本実施形態においても、外層体２への不用意な押圧によって収容空間Ｓの内容液が簡単に注出されてしまうことがない。
【００４９】
内容液を注出するにあたっては、まずオーバーキャップ６３を取り外す。本実施形態でもオーバーキャップ６３を取り外すと、突起６３ｃによって、図４に示すようにノズルヘッド本体６１を引き上げることができる。
【００５０】
そして、外層体２を傾倒姿勢に姿勢変更するとともに外層体２の胴部を押圧すると、内部空間の空気を介して収容空間Ｓが加圧され、収容空間Ｓ内の内容液は、注出筒部５４ｂ、
連通口５４ｅ、液導入口６１ｇを通り、液用逆止弁６０ｂにおける弾性片間の隙間を経て発泡体１２に至る。また、内部空間の空気は空気路Ｔを通り、空気導入口６０ｄを経て発泡体１２に至る。これにより内容液は、発泡体１２内を移動するにつれて空気と混ざり合いつつ発泡して、ノズル１１ｈから注出される。
【００５１】
内容液を注出した後は、外層体２の胴部への押圧を解除することによって外層体２が復元しようとするため、内部空間は負圧状態となり、弁体６ｂは隔壁５４ａに着座する。一方、外側弁体５６ａは天壁５７ｃの上面から離反するため、外気導入口５７ｄが開放する。これにより外気は、外気導入口５７ｄから貫通孔４ｈ、溝部２ｄ、及び通気口２ｃを経て内部空間に導入され、内層体１が減容変形したまま外層体２のみを復元することができる。
【００５２】
本発明に従う二重容器は、これらの実施形態に限定されるものではなく、特許請求の範囲に従う範囲で種々の変更が可能である。例えば、オーバーキャップ１３、６３に設けた突起１３ｃ、６３ｃを廃止して、ノズルヘッド本体１１、６１を指等で直接スライドさせるようにしてもよい。
【産業上の利用可能性】
【００５３】
本発明によれば、胴部に力が加わっても簡単には内容液が注出されることがない注出不能状態と、胴部に力を加えれば内容液が泡状に注出できる注出可能状態とを簡単に切り替えることができるので、意図しない内容液の注出が防止できる上、使い勝手のよい新規の二重容器を提供することが可能になる。
【符号の説明】
【００５４】
１  内層体
１ａ  上部開口
２  外層体
２ａ  口部周壁
２ｂ  雄ねじ部
２ｃ  通気口
２ｄ  溝部
３  注出キャップ
４  中栓
４ａ  隔壁
４ｂ  注出筒部
４ｃ  縮径部
４ｄ  シール壁
４ｅ  凹部
４ｆ  溝部
４ｇ  縁壁
４ｈ  貫通孔
５  移動弁体
６  空気用逆止弁
６ａ  環状壁
６ｂ  弁体
７  ベース
７ａ  外周壁
７ｂ  雌ねじ部
７ｃ  天壁
７ｄ  内部周壁
７ｅ  外気導入口
７ｆ  ガイド壁
７ｇ  凸部
７ｈ  凹所
７ｉ  ガイド溝
８  外気導入用逆止弁
９  ノズルヘッド
１０  ホルダー
１０ａ  摺動筒部
１０ｂ  区画壁
１０ｃ  シール筒部
１０ｄ  ストッパー
１０ｅ  凹部
１０ｆ  液導入口
１１  ノズルヘッド本体
１１ａ  周壁
１１ｂ  上壁
１１ｃ  突起
１１ｄ  リブ
１１ｅ  筒状壁
１１ｆ  空気導入口
１１ｇ  シール壁
１１ｈ  ノズル
１１ｉ  突起
１２  発泡体
１３  オーバーキャップ
１３ａ  頂壁
１３ｂ  外周壁
１３ｃ  上部突起（突起）
１３ｄ  下部突起
１３ｅ  シール壁
５４  中栓
５４ａ  隔壁
５４ｂ  注出筒部
５４ｃ  棒状部
５４ｄ  連結部
５４ｅ  連通口
５６  空気用逆止弁
５６ａ  外側弁体
５６ｂ  溝部
５７  ベース
５７ａ  外周壁
５７ｂ  雌ねじ部
５７ｃ  天壁
５７ｄ  外気導入口
５７ｅ  環状壁
５７ｆ  内側周壁
５７ｇ  外側周壁
５７ｈ  突起
６０  ホルダー
６０ａ  周壁
６０ｂ  液用逆止弁
６０ｃ  凹部
６０ｄ  空気導入口
６１  ノズルヘッド本体
６１ａ  周壁
６１ｂ  上壁
６１ｃ  凸部
６１ｄ  ノズル
６１ｅ  貫通孔
６１ｆ  区画壁
６１ｇ  液導入口
６１ｈ  摺動筒部
６３  オーバーキャップ
６３ａ  頂壁
６３ｂ  外周壁
６３ｃ  突起
６３ｄ  上部筒部
６３ｅ  フランジ
Ｓ  収容空間
Ｔ  空気路
Ｏ  口部周壁の軸線（注出筒部の軸線）
【図１】
2015209271.tif 000003
【図２】
2015209271.tif 000004
【図３】
2015209271.tif 000005
【図４】
2015209271.tif 000006